(57)【要約】【課題】異なる撮像素子を用いる２つの異なるライブビューモードを有する撮像装置において、ユーザーの手を煩わせることなく、常時適切なライブビューモードを選択できるようにする。【解決手段】操作部８０のモード設定ダイヤルを通じて撮影モードの設定入力を受け付けて、撮影モードを設定する。全体制御部１０１は、設定された撮影モードに応じて、ミラー機構６を切り換えられ、撮影用撮像素子５からの画像を表示装置１２に表示するか、表示用撮像素子７からの画像を表示装置１２に表示するかを制御する。【選択図】図３
2010217262.tif 000002
【特許請求の範囲】
【請求項１】
撮影用撮像素子と、
光学ファインダー内に配設される表示用撮像素子と、
前記撮影用撮像素子からの画像を、あるいは、前記表示用撮像素子からの画像を表示する表示手段と、
撮影レンズを通じて取り込まれる光束を、前記撮影用撮像素子に導くか、前記表示用撮像素子に導くかを切り換えるミラー機構と、
前記ミラー機構が、撮影レンズを通じて取り込まれる光束を前記表示用撮像素子に導くように切り換えられている場合に、前記光束が導かれ位相差検出方式の自動焦点合わせを行う第１の自動焦点合わせ手段と、
前記ミラー機構が、撮影レンズを通じて取り込まれる光束を前記撮影用撮像素子に導くように切り換えられている場合に、前記撮影用撮像素子においてコントラストが最も高くなる点を合焦点として探し出すコントラスト方式の自動焦点合わせを行う第２の自動焦点合わせ手段と、
複数の撮影モードの中から目的とする撮影モードの設定入力を受け付ける受付手段と、
前記受付手段を通じて設定された撮影モードに応じて、前記ミラー機構を切り換え、前記撮影用撮像素子からの画像を前記表示手段に表示するか、前記表示用撮像素子からの画像を前記表示手段に表示するかを制御する制御手段と
を備える撮像装置。
【請求項２】
請求項１に記載の撮像装置であって、
前記制御手段は、前記受付手段を通じて設定された撮影モードが、高速な焦点合わせが必要な予め決められたモードである場合には、前記ミラー機構を前記表示用撮像素子に光束を導くように切り換えて、前記表示用撮像素子からの画像を前記表示手段に表示するように制御する撮像装置。
【請求項３】
請求項１に記載の撮像装置であって、
前記制御手段は、前記受付手段を通じて設定された撮影モードが、構図決めが重要な予め決められたモードである場合には、前記ミラー機構を前記撮影用撮像素子に光束を導くように切り換えて、前記撮影用撮像素子からの画像を前記表示手段に表示するように制御する撮像装置。
【請求項４】
請求項１に記載の撮像装置であって、
前記制御手段は、前記受付手段を通じて設定された撮影モードが、焦点を厳密に合わせる必要のある予め決められたモードである場合には、前記ミラー機構を前記撮影用撮像素子に光束を導くように切り換えて、前記撮影用撮像素子からの画像を前記表示手段に表示するように制御する撮像装置。
【請求項５】
複数の撮影モードの中から目的とする撮影モードの設定入力を、受付手段を通じて受け付ける受付工程と、
前記受付工程において受け付けた撮影モードに応じて、撮影レンズを通じて取り込まれる光束を、撮影用撮像素子に導くか、光学ファインダー内に配設される表示用撮像素子に導くかを切り換えるミラー機構を切り換え、前記撮影用撮像素子からの画像を表示手段に表示するか、前記表示用撮像素子からの画像を表示手段に表示するかを制御手段が制御する制御工程と
を有するライブビューモード切り換え方法。
【請求項６】
複数の撮影モードの中から目的とする撮影モードの設定入力を、受付手段を通じて受け付ける受付ステップと、
前記受付ステップにおいて受け付けた撮影モードに応じて、撮影レンズを通じて取り込まれる光束を、撮影用撮像素子に導くか、光学ファインダー内に配設される表示用撮像素子に導くかを切り換えるミラー機構を切り換え、前記撮影用撮像素子からの画像を表示手段に表示するか、前記表示用撮像素子からの画像を表示手段に表示するかを制御手段が制御する制御ステップと
を撮像装置に搭載されたコンピュータが実行するライブビューモード切り換えプログラム。
【発明の詳細な説明】
【技術分野】
【０００１】
この発明は、いわゆるライブビュー機能を備えた、例えば、レンズ交換式デジタル一眼レフレックスカメラ等の装置、当該装置において用いられる方法、プログラムに関する。
【背景技術】
【０００２】
近年、レンズ交換式デジタル一眼レフレックスカメラ（ＤＳＬＲ：Digital Single Lens Reflex Camera）においても、コンパクトデジタルカメラと同様に、いわゆるライブビュー（スルー画表示）を用いた構図合わせを行えるようにしたいとするニーズが高まっている。
【０００３】
ライブビューは、撮影レンズが捉えている被写体の画像を、リアルタイムにＬＣＤ（Liquid Crystal Display）等の表示素子の比較的に大きな表示画面に表示して構図決め（構図合わせ）を行えるようにするものである。
【０００４】
ライブビューを行う方法として、撮影用撮像素子を用いる方法と、表示用撮像素子を用いる方法とがある。しかし、いずれの方法にも、長所と短所とがある。
【０００５】
図１６に、撮影用撮像素子を用いてライブビューを行うことが可能なレンズ交換式デジタル一眼レフレックスカメラ（以下、ＤＳＬＲと略称する。）２００の光学系等の構成を説明するための横断面図を示す。
【０００６】
図１６（Ａ）に示すように、ＤＳＬＲ２００においては、レンズ群２０１を通じて取り込まれる被写体の画像は、シャッター２０７を介して撮影用撮像素子２０８のセンサー面に結像するようにされる。この撮影用撮像素子２０８のセンサー面に結像した画像を取り込んで記録媒体に記録することができる。
【０００７】
そして、ＤＳＬＲ２００においては、図１６（Ａ）に示したように、撮影用撮像素子２０８を用いて取り込んだ画像をＬＣＤ２０９に表示させるので、ＬＣＤ２０９の表示画面に表示される画像は視野率１００％の画像となる。
【０００８】
したがって、撮影用撮像素子２０８を用いる方法の場合、ユーザーは、撮影されて記録される範囲の画像をそのままＬＣＤ２０９を通じて確認し、構図合わせを行うことができると言う長所がある。
【０００９】
しかし、撮影用撮像素子２０８を用いてライブビューを行う方法の場合、図１６（Ａ）に示したように、撮影用撮像素子２０８へ光束を導くために、主ミラー２０２及びサブミラー２０３を撮影光学系から退避（ミラーアップ）させる必要がある。
【００１０】
この場合、レンズ群２０１を通じて取り込んだ光束を、位相差検出方式のオートフォーカス（以下、位相差ＡＦ（Automatic Focus）と略称する。）を行うオートフォーカスモジュール（図１６ではＡＦＭと記載）２１０へ導くことができない。
【００１１】
したがって、図１６（Ａ）に示したように、撮影用撮像素子２０８を用いる方法の場合、ＤＳＬＲの構造上、詳しくは後述もするが、高速に焦点を合わせることが可能な位相差ＡＦを用いることができなくなると言う短所がある。
【００１２】
そして、図１６（Ａ）にしたように、撮影用撮像素子を用いるライブビュー時においては、撮影用撮像素子を通じて取得する画像のコントラストが最も高くなる点を合焦点として探し出すコントラスト検出方式のオートフォーカスを用いることになる。なお、以下においては、コントラスト検出方式のオートフォーカスを、コントラストＡＦと略称する。
【００１３】
コントラストＡＦは、コンパクトデジタルカメラにおいて用いられているものであり、レンズの位置を調整しながら取り込んだ画像のコントラストを検出し、徐々にピントを合わせる方式である。このため、コントラストＡＦは、位相差ＡＦと比較すると低速な焦点合わせ手段である。
【００１４】
このため、図１６（Ａ）に示したように、ミラーアップ状態で行うことになる撮影用撮像素子２０８を使用したライブビュー時においては、位相差ＡＦを用いることができず、高速な焦点合わせを行うことができないと言う短所が生じてしまうのである。
【００１５】
なお、位相差ＡＦを行うためのオートフォーカスモジュール（ＡＦＭ）２１０は、例えば、図１７に示すように、集光レンズＣＬと、一対のセパレータレンズＬ１と、Ｌ２と、その後方に配置される１つのラインセンサＬＳとから構成されるものである。
【００１６】
そして、位相差ＡＦは、ラインセンサＬＳのセンサー面に結像する画像の入射位置は、焦点板等価面Ｓに正確に結像している場合（合焦時）、前方に結像している場合（前ピン時）、後方に結像している場合（後ピン時）とで異なることを利用している。すなわち、ピントのずれ量は、一対のラインセンサＬＳのセンサー面上における画像の結像位置によって判断できる。
【００１７】
したがって、ラインセンサＬＳからの出力を解析（演算）することにより、合焦か非合焦か、前ピンか後ピンか、ピントのずれ量はどの位かを正確に検出し、これに応じて１回のレンズ位置調整により、迅速かつ正確にピントを合わせることができるのである。
【００１８】
これに対して、図１８に、光学ビューファインダー内に設けられる表示用撮像素子を用いてライブビューを行うことが可能なＤＳＬＲ３００の光学系等の構成を説明するための横断面図を示す。
【００１９】
ＤＳＬＲ３００は、図１８の横断面図に示したように、撮影用撮像素子２０８の他に光学ファインダー内に表示用撮像素子２１１を設けるようにしたものもある。表示用撮像素子２１１が設けられている点を除いて、ＤＳＬＲ３００は、図１６に示したＤＳＬＲ２００と同様の構成を有している。
【００２０】
図１８に示したように、表示用撮像素子２１１を用いてライブビューを行う方法では、ライブビュー画像の取得に光学ファインダー内の表示用撮像素子２１１を使用する。このため、主ミラー２０２及びサブミラー２０３をミラーダウンさせたままのライブビューが可能となる。
【００２１】
したがって、図１８に示したように、表示用撮像素子２１１を用いてライブビューを行う方法では、レンズ群２０１を通じて取り込んだ光束を、位相差ＡＦを行うＡＦＭ２１０に導くことができる。すなわち、表示用撮像素子２１１を用いてライブビューを行う方法の場合、位相差ＡＦによる高速な焦点合わせを行うことができると言う長所がある。
【００２２】
しかし、図１８に示したように、光学ファインダー内の表示用撮像素子２１１を用いてライブビューを行う場合、ＬＣＤ２０９に表示される画像の視野率は光学ファインダーの視野率に依存してしまう。
【００２３】
ほとんどの場合、光学ファインダーの視野率は１００％未満のため、表示用撮像素子２１１を通じて取り込み、ＬＣＤ２０９の表示画面に表示されるライブビュー画像の視野率も１００％未満となってしまうという短所がある。この場合、視野率が１００％の画像を表示することができないために、本体の撮影可能範囲を正確に把握することができず、構図の確認を行うのに支障をきたす可能性がある。
【００２４】
これを改善する１つの方法が、特許文献１（特開２００７−２８１９５２号公報）に開示されている。当該特許文献１に開示された方法は、視野率が１００％未満の光学ファインダー内に表示用撮像素子を持つＤＳＬＲに適用されるものである。
【００２５】
特許文献１に開示された方法は、ＬＣＤ等の表示素子の表示領域の大きさに対して、表示用撮像素子を通じて取り込んだライブビュー画像を光学ファインダーの視野率と同等の大きさに縮小して表示するようにする。そして、縮小することにより、画像情報が存在しなくなる周辺部を全黒で補うようにするものである。
【００２６】
また、位相差ＡＦには、図１６（Ｂ）、図１８に示したように、サブミラー２０３によってレンズ群２０１からの光束をオートフォーカスモジュール２１０に導く。このため、撮影用撮像素子２０８への光路長と、オートフォーカスモジュール２１０への光路長とが微妙に異なることで焦点誤差が発生してしまう場合がある。
【００２７】
この焦点誤差は、通常の撮影においては許容範囲に収まるが、例えば、近接（マクロ）撮影時には無視できない場合があり、このような場合には、コントラストＡＦを用いるほうが好ましい場合もある。
【００２８】
上述のように、ライブビューを行う２つの方法のそれぞれには、焦点合わせや視野率に関して一長一短がある。そして、撮影用撮像素子を用いるモードと表示用撮像素子を用いるモードの２つのライブビューモードを持つＤＳＬＲの場合、従来は、撮影者がどちらのライブビューモードを使用するかを手動で切り換えていた。
【００２９】
このため、撮像装置のユーザーの利便性を確保するものとして、特許文献２（特開２００７−２５９１５７号公報）に記載の発明が提案されている。
【００３０】
特許文献２に記載の発明は、撮影用撮像素子を用いるライブビューモードと表示用撮像素子を用いるライブビューモードとの２つの異なるライブビューモードを備えたＤＳＬＲに関する発明である。
【００３１】
さらに、当該ＤＳＬＲは、シングルＡＦ（Automatic Focus）、コンティニュアスＡＦ、シングルＡＦ＋ＭＦ（Manual Focus）といった複数のフォーカスモードを持ち、これらのフォーカスモードを切り換え可能となっているものである。
【００３２】
そして、当該ＤＳＬＲは、装着したレンズがＡＦ対応か否かを判断するとともに、設定されているフォーカスモードによって、２つのライブビューモードを自動で切り換える機能を有する。
【００３３】
具体的に、当該ＤＳＬＲは、ＡＦ対応のレンズが装着され、フォーカスモードがシングルＡＦ、コンティニュアスＡＦにされている場合には、表示用撮像素子を用いたライブビューに自動設定される。
【００３４】
また、ＡＦ対応のレンズが装着され、フォーカスモードがシングルＡＦ＋ＭＦの場合には、シングルＡＦ時は表示用撮像素子を用いたライブビューに自動設定され、ＭＦに移行すると撮影用撮像素子を用いたライブビューに自動設定される。
【００３５】
さらに、ＡＦ非対応のレンズが装着された場合は、撮影用撮像素子を用いたライブビューに自動設定される。
【００３６】
このようにすることで、ＡＦ時は表示用撮像素子を用いたライブビューモードを使用して位相差ＡＦによる高速なＡＦを実現し、ＭＦ時は撮影用撮像素子を用いたライブビューモードを使用してマニュアルフォーカスで正確な焦点合わせを実現している。
【先行技術文献】
【特許文献】
【００３７】
【特許文献１】特開２００７−２８１９５２号公報
【特許文献２】特開２００７−２５９１５７号公報
【発明の概要】
【発明が解決しようとする課題】
【００３８】
しかし、引用文献２に記載された方式では、ＡＦが使用可能な場合は常に表示用撮像素子側のライブビューを用い、ＭＦしか使用できない場合のみ撮影用撮像素子側のライブビューを用いることとなる。
【００３９】
このため、ＡＦ使用時において、正確な構図を確認したい状況では手動で撮影用撮像素子側のライブビューに切り換える必要があり、ＤＳＬＲのユーザーの利便性を確保するという点では十分な効果を上げることができない場合があると考えられる。
【００４０】
以上のことに鑑み、この発明は、上記の問題点を解消し、異なる撮像素子を用いる２つの異なるライブビューモードを有する撮像装置において、ユーザーの手を煩わせることなく、常時適切なライブビューモードを選択できるようにすることを目的とする。
【課題を解決するための手段】
【００４１】
上記課題を解決するため、請求項１に記載の発明の撮像装置は、
撮影用撮像素子と、
光学ファインダー内に配設される表示用撮像素子と、
前記撮影用撮像素子からの画像を、あるいは、前記表示用撮像素子からの画像を表示する表示手段と、
撮影レンズを通じて取り込まれる光束を、前記撮影用撮像素子に導くか、前記表示用撮像素子に導くかを切り換えるミラー機構と、
前記ミラー機構が、撮影レンズを通じて取り込まれる光束を前記表示用撮像素子に導くように切り換えられている場合に、前記光束が導かれ位相差検出方式の自動焦点合わせを行う第１の自動焦点合わせ手段と、
前記ミラー機構が、撮影レンズを通じて取り込まれる光束を前記撮影用撮像素子に導くように切り換えられている場合に、前記撮影用撮像素子においてコントラストが最も高くなる点を合焦点として探し出すコントラスト方式の自動焦点合わせを行う第２の自動焦点合わせ手段と、
複数の撮影モードの中から目的とする撮影モードの設定入力を受け付ける受付手段と、
前記受付手段を通じて設定された撮影モードに応じて、前記ミラー機構を切り換え、前記撮影用撮像素子からの画像を前記表示手段に表示するか、前記表示用撮像素子からの画像を前記表示手段に表示するかを制御する制御手段と
を備える。
【００４２】
この請求項１に記載の発明の撮像装置によれば、受付手段を通じて撮影モードの設定入力が受け付けられ、撮影モードが設定される。制御手段により、設定された撮影モードに応じて、ミラー機構が切り換えられ、撮影用撮像素子からの画像を表示手段に表示するか、表示用撮像素子からの画像を表示手段に表示するかが制御される。
【００４３】
これにより、表示用撮像素子からの画像を表示手段に表示するようにした場合には、第１の自動焦点合わせ手段により、高速に焦点を合わせることができるようにされる。また、撮影用撮像素子からの画像を表示手段に表示するようにした場合には、視野率１００％の画像を表示手段に表示することができると共に、第２の自動焦点合わせ手段により、焦点誤差を生じさせること無く、焦点を厳密に合わせることができるようにされる。
【００４４】
したがって、異なる撮像素子（撮影用撮像素子と表示用撮像素子）を用いる２つの異なるライブビューモードを有する撮像装置において、ユーザーの手を煩わせることなく、常時適切なライブビューモードを自動で選択することができるようにされる。
【発明の効果】
【００４５】
この発明によれば、異なる撮像素子（撮影用撮像素子と表示用撮像素子）を用いる２つの異なるライブビューモードを有する撮像装置において、ユーザーの手を煩わせることなく、常時適切なライブビューモードを自動で選択することができる。
【００４６】
これにより、撮像装置を操作するユーザーの利便性を向上させ、種々の撮影モードをも散る場合に、被写体画像を適切に撮影することができる。
【図面の簡単な説明】
【００４７】
【図１】この発明の一実施形態が適用された撮像装置の正面外観図である。
【図２】この発明の一実施形態が適用された撮像装置の背面外観図である。
【図３】第１の実施形態の撮像装置１を説明するためのブロック図である。
【図４】実施形態の撮像装置のミラー機構等を説明するための撮像装置の断面図である。
【図５】実施形態の撮像装置のミラー機構等を説明するための撮像装置の断面図である。
【図６】実施形態の撮像装置のミラー機構等を説明するための撮像装置の断面図である。
【図７】撮影モードとライブビューモードの対応関係を説明するための図である。
【図８】実施形態のライブビュー処理のメインルーチンのフローチャートである。
【図９】図８のメインルーチンにおいて実行される初期化ルーチンのフローチャートである。
【図１０】図８、図９のルーチンにおいて実行されるライブビュー切換ルーチンのフローチャートである。
【図１１】図１０のルーチンにおいて実行される撮影用撮像素子側ライブビュー動作ルーチンのフローチャートである。
【図１２】図１０のルーチンにおいて実行される表示用撮像素子側ライブビュー動作ルーチンのフローチャートである。
【図１３】図８のメインルーチン等において実行される撮影準備動作ルーチンのフローチャートである。
【図１４】図８のメインルーチン等において実行される撮影用撮像素子側撮影動作ルーチンのフローチャートである。
【図１５】撮影モードの他の例とライブビューモードとの対応関係の例を説明するための図である。
【図１６】従来のＤＳＬＲの構成例を説明するための図である。
【図１７】位相差検出方式のオートフォーカスの原理を説明するための図である。
【図１８】表示用撮像素子を搭載した従来のＤＳＬＲの構成例を説明するための図である。
【発明を実施するための形態】
【００４８】
以下、図を参照しながら、この発明の装置、方法、プログラムの一実施形態について説明する。以下に説明する実施形態においては、この発明を、レンズ交換式デジタル一眼レフレックスカメラ（ＤＳＬＲ）の構成とされた撮像装置に適用した場合を例にして説明する。
【００４９】
［撮像装置１の外観］
図１、図２は、この実施形態の撮像装置１の外観を説明するための図であり、図１は撮像装置１の正面外観図、図２は撮像装置１の背面外観図である。
【００５０】
まず、撮像装置１の正面側の外観について説明する。図１に示すように、撮像装置１はカメラ本体部（カメラボディ）２を備えている。このカメラ本体部２に対して交換式の撮影レンズユニット（交換レンズ）３が着脱可能にされている。
【００５１】
撮影レンズユニット３は、主として鏡筒３６ならびに鏡筒３６の内部に設けられたレンズ群３７および絞り機構等によって構成される。レンズ群（撮影光学系）３７には、光軸方向に移動することによって焦点位置を変更するフォーカスレンズ等が含まれる。
【００５２】
カメラ本体部２は、撮影レンズユニット３が装着される円環状のマウント部Ｍｔを正面略中央に備え、撮影レンズユニット３を着脱するための着脱ボタン８９を円環状のマウント部Ｍｔ付近に備えている。
【００５３】
また、カメラ本体部２は、その正面左上部にモード設定ダイヤル８２を備え、その正面右上部に制御値設定ダイヤル８６を備えている。モード設定ダイヤル８２を操作することによって、撮像装置１の各種のモードの設定動作（切替動作）を行うことができるようにされる。
【００５４】
ここで、撮像装置１の種々のモードは、各種撮影モード、撮影した画像を再生する再生モード、および外部機器との間でデータ交信を行う通信モード等を含む。なお、各種撮影モードには、例えば、プログラムオートモード、シャッタースピード優先モード、スポーツモード、絞り優先モード、風景モード、マクロモード、ポートレートモードなどがある。
【００５５】
また、制御値設定ダイヤル８６を操作することにより、各種撮影モードにおける制御値を設定することができる。
【００５６】
また、カメラ本体部２は、正面左端部に撮影者が把持するためのグリップ部１４を備えている。グリップ部１４の上面には露光開始を指示するためのレリーズボタン１１が設けられている。
【００５７】
グリップ部１４の内部には電池収納室とカード収納室とが設けられている。電池収納室には撮像装置１の電源として、例えば４本の単３形乾電池が収納される。また、カード収納室には、後述もするが、撮影画像の画像データを記録するためのメモリカード９０が着脱可能に収納されるようになっている。
【００５８】
レリーズボタン１１は、半押し状態（Ｐ１状態）と全押し状態（Ｐ２状態）の２つの状態を検出可能な２段階検出ボタンである。レリーズボタン１１が半押しされＰ１状態になると、被写体に関する記録用静止画像（本撮影画像）を取得するための準備動作が行われる。ここで、準備動作は、例えば、ＡＦ（Automatic Focus）制御動作、ＡＥ（Automatic Exposure）制御動作等である。
【００５９】
また、レリーズボタン１１がさらに押し込まれてＰ２状態になると、当該本撮影画像の撮影動作が行われる。撮影動作は、詳しくは後述もするが、撮像素子５を用いて被写体像（被写体の光像）に関する露光動作を行い、その露光動作によって得られた画像信号に所定の画像処理を施す一連の動作である。
【００６０】
次に、撮像装置１の背面側の外観について説明する。図２に示すように、カメラ本体部２の背面略中央上部には、ファインダー窓（接眼窓）１０が設けられている。撮影者は、ファインダー窓１０を覗くことによって、撮影レンズユニット３から導かれた被写体の光像を視認して構図決定を行うことができる。すなわち、光学ファインダーを用いて構図決め（構図合わせ）を行うことができる。
【００６１】
なお、この実施形態に係る撮像装置１は、ライブビュー機能をも備え、背面の表示装置１２に表示されるライブビュー画像を用いて構図決めを行うことも可能である。また、光学ファインダーによる構図決め動作とライブビュー表示による構図決め動作との切換操作は、操作者が切換ダイヤル８７を回転させることによって実現される。
【００６２】
図２に示したように、カメラ本体部２の背面の略中央には、表示装置１２が設けられている。表示装置１２は、例えばカラーＬＣＤとして構成される。表示装置１２には、撮影条件等を設定するためのメニュー画面や、再生モードにおいてメモリカード９０に記録された撮影画像などを表示させることができるようにされている。
【００６３】
また、操作者が光学ファインダーによる構図決めではなく、ライブビュー表示による構図決めを選択した場合には、表示装置１２には、後述する表示用撮像素子７によって取得される時系列の複数の画像（すなわち動画像）がライブビュー画像として表示される。
【００６４】
また、図２に示したように、背面の表示装置１２の左上部にはメインスイッチ８１が設けられている。メインスイッチ８１は２点スライドスイッチからなり、接点を左方の「ＯＦＦ」位置に設定すると、電源がオフになり、接点の右方の「ＯＮ」位置に設定すると、電源がオンになる。
【００６５】
また、背面の表示装置１２の右側には方向選択キー８４が設けられている。この方向選択キー８４は円形の操作ボタンを有するものである。当該方向選択キー８４の操作ボタンにおいては、図２において、三角のマークで示したように、上下左右の４方向の押圧操作と、右上、左上、右下及び左下の4方向の押圧操作とが、それぞれ検出されるようになっている。また、方向選択キー８４は、上記８方向の押圧操作とは別に、中央部のプッシュボタンの押圧操作も検出されるようになっている。
【００６６】
さらに、背面の表示装置１２の左側には、メニュー画面の設定、画像の削除などを行うための複数のボタンからなる設定ボタン群８３が設けられている。
【００６７】
［撮像装置１の構成］
次に、図３を参照しながら、この実施形態の撮像装置１の機能の概要について説明する。図３は、撮像装置１を説明するためのブロック図である。
【００６８】
図３に示すように、撮像装置１は、大きく分けると、カメラ本体部２と、カメラ本体部２に対して着脱可能とされた撮影レンズユニット３とからなっている。
【００６９】
図３に示したように、カメラ本体部２は、シャッター４、撮影用撮像素子５、ミラー機構６、表示用撮像素子７、信号処理部５１、Ａ／Ｄ（Analog/Digital）変換回路５２、デジタル信号処理回路５０を備えている。
【００７０】
なお、後述もするが、撮影用撮像素子５、表示用撮像素子７は、いずれもＣＣＤ（Charge Coupled Device）で構成されたものであり、図３においては、ＣＣＤ５、ＣＣＤ７と示している。）
また、カメラ本体部２は、フォーカス制御部１２１及びフォーカス機構の駆動モータＭ１、ミラー制御部１２２及びミラー機構６の駆動モータＭ２、シャッター制御部１２３及びシャッター機構の駆動モータＭ３、タイミング制御回路１２４を備えている。
【００７１】
また、カメラ本体部２は、フラッシュライト４１、フラッシュ回路４２、ＡＦ（Automatic Focus）補助光発光部４３、ＡＦ（Automatic Focus）モジュール２０を備えている。
【００７２】
また、カメラ本体部２は、ＶＲＡＭ（Video Random Access Memory）１３１、表示装置（ＬＣＤ）１２、カードＩ／Ｆ１３２、通信用Ｉ／Ｆ１３３を備えている。ここで、Ｉ／Ｆはインターフェイスの略称である。そして、カードＩ／Ｆ１３２に対しては、これに着脱可能とされたメモリカード９０が装着されている。
【００７３】
さらに、カメラ本体部２は、ＥＥＰＲＯＭ（Electrically Erasable and Programmable ROM）６０、操作部８０を備えている。そして、カメラ本体部２は、全体制御部１０１を備え、これに接続された各部を制御することができるようにされている。
【００７４】
また、撮影レンズユニット３は、レンズ群３７、レンズ位置検出部３９を備えると共に、図３には図示しないが、絞り機構や、レンズ群３７のフォーカスレンズの位置を調整するフォーカス機構などをも備えるものである。
【００７５】
そして、カメラ本体部２の操作部８０は、上述したレリーズボタン１１を含む各種ボタンおよびスイッチ等を備えて構成される。操作部８０に対する操作者の入力操作に応答して、全体制御部１０１が各部を制御し、入力操作に応じた各種動作を実現することができるようにされる。
【００７６】
全体制御部１０１は、図３に示したように、ＣＰＵ（Central Processing Unit）１０１１、ＲＯＭ（Read Only Memory）１０１２、ＲＡＭ（Random Access Memory）１０１３等がＣＰＵバスを通じて接続されて構成されたマイクロコンピュータである。
【００７７】
全体制御部１０１においては、ＣＰＵ１０１１が、ＲＯＭ内に格納されるプログラムを読み出して実行することによって、各部を制御し、各種機能を実現する。例えば、全体制御部１０１は、ＡＦモジュール２０およびフォーカス制御部１２１と協動して、フォーカスレンズの位置を制御する合焦制御動作を行う。
【００７８】
つまり、全体制御部１０１は、ＡＦモジュール２０によって検出される被写体の合焦状態に応じて、フォーカス制御部１２１を用いてＡＦ動作を実現する。なお、この実施形態において、ＡＦモジュール２０は、ミラー機構６を介して進入してきた光を用いて、位相差方式の合焦状態検出手法により被写体の合焦状態を検出することができるものである。
【００７９】
ＥＥＰＲＯＭ６０は、いわゆる不揮発性メモリであり、撮像装置１の電源が落とされても保持しておくべき種々の情報、例えば、種々の調整値や設定条件などのパラメータを記憶保持するものである。
【００８０】
なお、この実施形態においては、ＥＥＰＲＯＭを用いるようにしたが、これに限るものではなく、例えばフラッシュメモリーなどの種々の不揮発性メモリを用いるようにすることもできる。
【００８１】
フォーカス制御部１２１は、全体制御部１０１から入力される信号に基づいて制御信号を生成しモータＭ１を駆動することによって、撮影レンズユニット３のレンズ群３７に含まれるフォーカスレンズを移動させる。
【００８２】
また、フォーカスレンズの位置は、撮影レンズユニット３のレンズ位置検出部３９によって検出され、フォーカスレンズの位置を示すデータが全体制御部１０１に送られる。このように、フォーカス制御部１２１および全体制御部１０１は、フォーカスレンズの光軸方向の動きを制御する。
【００８３】
ミラー制御部１２２は、ミラー機構６が光路から退避した状態（ミラーアップ状態）とミラー機構６が光路を遮断した状態（ミラーダウン状態）との状態切替を制御する。すなわち、ミラー制御部１２２は、全体制御部１０１から入力される信号に基づいて制御信号を生成しモータＭ２を駆動することによって、ミラー機構６のミラーアップ状態とミラーダウン状態とを切り替える。
【００８４】
シャッター制御部１２３は、全体制御部１０１から入力される信号に基づいて制御信号を生成しモータＭ３を駆動することによって、シャッター４の開閉を制御する。
【００８５】
タイミング制御回路１２４は、図３に示したように、ＣＣＤ５、信号処理部５１、Ａ／Ｄ変換回路５２、ＣＣＤ７の駆動タイミングを制御するものである。タイミング制御回路１２４は、撮像素子５や撮像素子７を通じて画像を取り込む場合のタイミング等に対するタイミング制御を行う。
【００８６】
撮像素子５は、上述もしたように、ＣＣＤによって構成され、光電変換作用により被写体の光像を電気的信号に変換して、主に本撮影画像に係る画像信号（記録用の画像信号）を生成する。
【００８７】
なお、撮像素子５（ＣＣＤ５と言う場合もある。）は、上述もしたように、撮影用撮像素子であるが、この実施の形態の撮像装置１は、後述もするように、当該撮影用撮像素子５を用いたライブビューを実現することもできるようにしている。
【００８８】
そして、撮影時において、撮影用撮像素子５は、タイミング制御回路１２４から入力される駆動制御信号（蓄積開始信号および蓄積終了信号）に応答して、受光面に結像された被写体像の露光（光電変換による電荷蓄積）を行う。これにより、当該被写体像に係る画像信号が生成される。また、撮影用撮像素子５は、タイミング制御回路１２４から入力される読出制御信号に応答して、当該画像信号を信号処理部５１へ出力する。
【００８９】
図３にも示したように、タイミング制御回路１２４からのタイミング信号（同期信号）は、信号処理部５１及びＡ／Ｄ変換回路５２にも入力される。
【００９０】
そして、撮影用撮像素子５を通じて取得された画像信号は、信号処理部５１において、例えば、ＣＤＳ（Correlated Double Sampling）処理やＡＧＣ（Automatic Gain Control）処理が行われ、Ｓ／Ｎ比や利得が制御するようにされる。
【００９１】
信号処理部５１において、上述の所定のアナログ信号処理が施された画像信号は、Ａ／Ｄ変換回路５２に供給される。Ａ／Ｄ変換回路５２は、これに供給されたアナログ画像信号をデジタル画像データに変換し、これをデジタル信号処理回路５０に供給する。
【００９２】
デジタル信号処理回路５０は、図３に示したように、黒レベル補正回路５３、ＷＢ（White Balance）補正回路５４、γ（ガンマ）補正回路５５、画像メモリ５６を備えたものである。そして、デジタル信号処理回路５０は、Ａ／Ｄ変換回路５２から入力される画像データに対してデジタル信号処理を行い、撮像画像に係る画像データを生成する。
【００９３】
すなわち、デジタル信号処理回路５０において、黒レベル補正回路５３は、Ａ／Ｄ変換回路５２からの画像データを構成する各画素データの黒レベルを基準の黒レベルに補正する。
【００９４】
また、デジタル信号処理回路５０において、ＷＢ補正回路５４は、画像のホワイトバランス調整を行う。γ補正回路５５は、撮像画像の階調変換を行う。画像メモリ５６は、生成された画像データを一時的に記憶するための、高速アクセス可能な画像メモリであり、複数フレーム分の画像データを記憶可能な容量を有する。
【００９５】
そして、本撮影時には、上述したように、デジタル信号処理回路５０の各補正回路において補正処理された画像データは、画像メモリ５６に一時記憶される。この画像メモリ５６に一時記憶された画像データは、全体制御部１０１において、適宜、圧縮処理や解像度変換等の画像処理が施された後、カードＩ／Ｆ１３２を介してメモリカード９０に記憶される。
【００９６】
また、画像メモリ５６に一時記憶された画像データは、全体制御部１０１によって適宜ＶＲＡＭ１３１に転送され、本体背面の表示装置１２の表示画面に、当該画像データに基づく画像を表示することもできるようにされる。
【００９７】
これによって、撮影画像を確認するための確認表示（アフタービュー）、および撮影済みの画像を再生する再生表示が実現されるとともに、撮影用撮像素子５を用いたライブビューをも実現することができる。
【００９８】
なお、撮影用撮像素子５を用いたライブビュー時においては、後述もするように、レンズ群３７を通じて取り込まれた光束は、位相差検出方式のＡＦを実現するＡＦモジュール２０には導かれない。
【００９９】
このため、撮影用撮像素子５を用いたライブビュー時においては、コントラストＡＦを用いる。コントラストＡＦは、撮影用撮像素子５で取り込まれた画像のコントラストを全体制御部１０１が検出するようにする。そして、全体制御部１０１は、撮影用撮像素子５からの画像のコントラストが最大になるように、フォーカス制御部１２１を制御し、レンズ群３７のフォーカスレンズの位置を調整して、焦点を合わせるようにするものである。
【０１００】
また、図３に示したように、撮像装置１は、撮影用撮像素子５とは別の撮像素子（ＣＣＤ）７をも備えている。撮像素子７は、いわゆるライブビュー画像取得用（動画像取得用）の撮像素子、すなわち表示用撮像素子としての役割を果たす。
【０１０１】
表示用撮像素子７も、撮影用撮像素子５と同様の構成を有している。ただし、表示用撮像素子７は、ライブビュー用の画像信号（動画像）を生成するための解像度を有していればよく、通常、撮影用撮像素子５よりも少ない数の画素で構成される。この実施形態の表示用撮像素子７も、撮影用撮像素子５よりも少ない数の画素で構成されているものである。
【０１０２】
そして、表示用撮像素子７を通じて取得される画像信号に対しても、撮影用撮像素子５を通じて取得される画像信号と同様の信号処理が施される。すなわち、表示用撮像素子７を通じて取得される画像信号は、信号処理部５１で上述もしたように、ＣＤＳ処理やＡＧＣ処理等の所定のアナログ信号処理が施された後にＡ／Ｄ変換回路５２に供給される。
【０１０３】
Ａ／Ｄ変換回路５２は、これに供給されたアナログ画像信号をデジタル画像データに変換した後に、デジタル信号処理回路５０に供給する。デジタル信号処理回路５０は、これに供給されたデジタル画像データに対して、上述もしたように、所定の補正処理を施す。
【０１０４】
この場合、表示用撮像素子７を通じて取得され、デジタル信号処理回路５０で処理されたデジタル画像データ（動画像データ）は、全体制御部１０１の制御によってＶＲＡＭ１３１に順次に転送される。そして、表示用撮像素子７からの動画像データに基づく画像が本体背面の表示装置１２に表示される。
【０１０５】
これによって、レンズ群３７を通じて現在取り込まれている画像が、表示装置１２の表示画面にリアルタイムに表示され、構図決め（構図合わせ）を行うための画像表示（ライブビュー表示（スルー画表示））が実現される。
【０１０６】
さらに、撮像装置１は、通信用Ｉ／Ｆ１３３を有しており、当該インターフェイス１３３の接続先の機器（例えば、パーソナルコンピュータ等）とデータ通信をすることが可能である。
【０１０７】
また、撮像装置１は、フラッシュライト４１、フラッシュ制御回路４２、およびＡＦ補助光発光部４３を備えている。フラッシュライト４１は、被写体の輝度不足時等に利用される光源である。
【０１０８】
フラッシュライトの点灯の有無および点灯時間等は、フラッシュ制御回路４２および全体制御部１０１によって制御される。ＡＦ補助光発光部４３は、ＡＦ用の補助光源である。
【０１０９】
ＡＦ補助光発光部４３の点灯の有無および点灯時間等は、全体制御部１０１によって制御される。
【０１１０】
［撮像装置１における撮影動作］
次に、この実施形態の撮像装置１における構図決め動作（フレーミング動作)を含む撮影動作について説明する。
【０１１１】
この実施形態の撮像装置１においては、ファインダー光学系等で構成される光学ファインダー（ＯＶＦ：Optical View Finder）を用いて構図決めを行うことができる。また、撮像装置１は、本体背面の表示装置１２に表示されるライブビュー画像を用いて構図決めを行うこともできる。
【０１１２】
なお、表示用撮像素子７および本体背面の表示装置１２を利用して実現されるファインダー機能は、被写体の光像を電子データに変換した後に可視化するものであることから電子ビューファインダー（ＥＶＦ：Electronic View Finder）とも称される。
【０１１３】
また、この実施の形態の撮像装置１においては、上述もしたように、撮影用撮像素子５および本体背面の表示装置１２を利用したライブビューをも行うことができるようにしている。
【０１１４】
撮像装置１の操作者は、上述もしたように、切換ダイヤル８７を操作することによって、光学ビューファインダーを用いて構図決めを行うか、ライブビュー機能により表示装置１２を用いて構図決めを行うかを選択することができる。
【０１１５】
また、ライブビュー機能を用いる場合、撮影用撮像素子５を用いたライブビューを行うのか、表示用撮像素子７を用いたライブビューを行うのかについても、切換ダイヤル８７を操作することにより選択することができる。
【０１１６】
図４〜図６は、撮像装置１の断面図である。この内、図４は、光学ビューファインダーを用いるようにしている場合のミラー機構６等の状態を示す図である。また、図５は、表示用撮像素子７を用いたライブビュー（電子ビューファインダー）を用いるようにしている場合のミラー機構６等の状態を示す図である。また、図６は、撮影用撮像素子５を用いたライブビューを用いるようにしている場合、および、露光動作時のミラー機構６等の状態を示す図である。
【０１１７】
図４〜図６のそれぞれに示すように、撮影レンズユニット３のレンズ群３７から撮影用撮像素子５に至る光路（撮影光路）上、及び、ファインダー窓１０に至る光路上にはミラー機構６が設けられている。
【０１１８】
ミラー機構６は、以下に説明するように、複数のミラーを有する構成になっている。すなわち、ミラー機構６は、撮影光学系からの光を上方に向けて反射する主ミラー６１（主反射面）を有している。この主ミラー６１は、例えばその一部または全部がハーフミラーとして構成され、撮影光学系からの光の一部を透過する。
【０１１９】
また、ミラー機構６は、主ミラー６１を透過した光を下方に反射させるサブミラー６２（副反射面）をも有している。サブミラー６２で下方に反射された光は、ＡＦモジュール２０へと導かれて入射し、位相差変換方式のＡＦ動作に利用される。
【０１２０】
撮影モードにおいてレリーズボタン１１が全押し状態（Ｐ２状態）にされるまで、すなわち、構図決めの際には、主ミラー６１及びサブミラー６２は、図４、図５に示したように、光束を反射させる状態（ミラーダウン状態）となるようにされている。
【０１２１】
そして、図４、図５に示すように、ミラーダウン状態においては、撮影レンズユニット３からの被写体像（光束）は、主ミラー６１で上方に反射され観察用光束としてペンタミラー６５に入射する。ペンタミラー６５は、複数のミラー（反射面）６５ａ〜６５ｅを有しており、被写体像（光束）の向き（進路）を調整する機能を有している。
【０１２２】
そして、ペンタミラー６５に入射した後の、観察用光束の進路は、光学ビューファインダーとライブビュー（電子ビューファインダー）とのいずれを用いて構図決めを行うようにするかに応じて異なってくる。これについては後で詳述する。
【０１２３】
なお、上述もしたように、操作者が、光学ビューファインダーを用いるか、表示用撮像素子７を用いたライブビュー（電子ビューファインダー）を用いるか、撮影用撮像素子５を用いたライブビューを用いるかを切り換えることができるようになっている。
【０１２４】
一方、撮影用撮像素子５を用いてライブビューを行うようにされた場合、あるいは、レリーズボタン１１が全押し状態（Ｐ２状態）にされると、ミラー機構６の主ミラー６１とサブミラー６２とは、図６に示すように、光束を反射しないようにする状態（ミラーアップ状態）となるように駆動され、露光動作が開始される。
【０１２５】
そして、撮影用撮像素子５を用いてライブビューを行うようにされた場合には、撮影用撮像素子５、信号処理回路５１、Ａ／Ｄ変換回路５２、デジタル信号処理回路５０を通じて画像メモリ５６に被写体画像が取り込まれる。そして、画像メモリ５６の被写体画像が、ＶＲＡＭ１３１に転送されて、表示装置１２の表示画面にライブビュー画像が表示するようにされる。
【０１２６】
そして、被写体に係る記録用静止画像（本撮影画像）を取得する際の動作、すなわち、露光の際の動作は、光学ビューファインダーを用いた場合であっても、表示用撮像素子７や撮影用撮像素子５を用いたライブビューを用いた場合であっても同じである。
【０１２７】
具体的には、図６に示すように、露光時には、ミラー機構６は、撮影光路から待避する。詳細には、撮影光学系からの光束（被写体像）を遮らないように主ミラー６１とサブミラー６２とが上方に待避し、撮影レンズユニット３からの光束がシャッター４の開放タイミングに合わせて撮影用撮像素子５に到達する。
【０１２８】
撮影用撮像素子５は、光電変換によって、受光した光束に基づいて被写体の画像信号を生成する。このように、被写体からの光が撮影レンズユニット３を介して撮影用撮像素子５に導かれることによって、被写体に係る撮影画像（撮影画像データ）が得られる。
【０１２９】
［光学ビューファインダーによる構図決め動作（フレーミング動作）］
次に、光学ビューファインダーを用いて構図決め（構図合わせ）を行う場合の撮像装置１の動作について説明する。
【０１３０】
上述したように、操作者により切換ダイヤル８７が操作され、光学ビューファインダーを用いるようにされると、図４に示したように、ミラー機構６の主ミラー６１およびサブミラー６２が、ミラーダウン状態となる。
【０１３１】
これにより、主ミラー６１およびサブミラー６２が撮影レンズユニット３からの被写体像（光束）の光路上に配置され、被写体像（光束）が主ミラー６１とペンタミラー６５と接眼レンズ６７とを介してファインダー窓１０へと導かれる。
【０１３２】
このように、主ミラー６１とペンタミラー６５と接眼レンズ６７とを含むファインダー光学系は、撮影光学系からの光束であって、主ミラー６１で反射された光束である観察用光束をファインダー窓１０へと導くことが可能である。
【０１３３】
具体的には、図４において、ファインダー窓１０に至る点線で示した光路ＰＡが示すように、撮影レンズユニット３からの光は、主ミラー６１で反射されて上方に進路を変更し、焦点板６３において結像し、焦点板６３を通過する。そして、焦点板６３を通過した光は、ペンタミラー６５でその進路をさらに変更した後に接眼レンズ６７を通ってファインダー窓１０へ向かう。
【０１３４】
このようにして、ファインダー窓１０を通過した被写体像は撮影者（観察者）の眼へ到達して視認される。すなわち、撮影者は、ファインダー窓１０を覗くことによって、被写体像を確認することができる。
【０１３５】
ペンタミラー６５は、三角屋根状に形成された２面のミラー（ダハミラー）６５ａ、６５ｂと、当該ダハミラー（ダハ面）６５ａ、６５ｂに対して固定された面６５ｃと、もう１つのミラー（反射面）６５ｅとを有している。
【０１３６】
また、三角屋根状の２面のミラー６５ａ、６５ｂは、プラスチック成型により一体部品６５ｄとして形成されている。そして、主ミラー６１で反射されて上方に進路を変更した光束は、ダハミラー６５ａ、６５ｂで反射され、ここで左右反転されて進行し、さらにミラー６５ｅでも反射されることによって上下も反転されて撮影者の眼に到達する。
【０１３７】
このように、撮影レンズユニット３において左右上下が反転されていた光像は、ペンタミラー６５でさらに左右上下が反転される。これにより、撮影者は、光学ファインダーにおいて、その上下左右が実際の被写体と同じ状態で被写体像を観察することができる。
【０１３８】
また、主ミラー６１を透過した光束は、サブミラー６２で反射されて下方に進路を変更しＡＦモジュール２０へと進入する。ＡＦモジュール２０およびフォーカス制御部１２１等は、主ミラー６１およびサブミラー６２を介して進入してきた光束を用いて、位相差検出方式のＡＦ動作を実現する。
【０１３９】
［表示用撮像素子７を用いたライブビューによる構図決め動作（フレーミング動作）］
次に、表示用撮像素子７を用いたライブビューによる構図決め動作について説明する。
【０１４０】
上述したように、操作者により切換ダイヤル８７が操作され、表示用撮像素子７を用いたライブビューを行うようにされると、この場合にも、図５に示したように、ミラー機構６の主ミラー６１およびサブミラー６２が、ミラーダウン状態となる。
【０１４１】
これにより、図４に示した場合と同様に、ライブビューを用いる場合にも、ミラー機構６の主ミラー６１およびサブミラー６２が、撮影レンズユニット３からの被写体像（光束）の光路上に配置される。そして、撮影レンズユニット３からの光束は、主ミラー６１で反射されて上方に進路を変更し、焦点板６３において結像し、焦点板６３を通過する。
【０１４２】
ただし、ライブビューを用いるようにしている場合、図５に示すように、焦点板６３を通過した光束は、ペンタミラー６５でその進路がさらに変更された後に、結像レンズ６９（結像光学系）を通過して表示用撮像素子７の撮像面上で再結像する。
【０１４３】
つまり、ライブビュー（電子ビューファインダー）を用いるようにしている場合には、図５において表示用撮像素子７に至る点線で示した光路ＰＢに示すように、撮影レンズユニット３を通じて取り込まれた光束が導かれる。
【０１４４】
なお、この場合にも、主ミラー６１で反射されて上方に進路を変更した光は、ダハミラー６５ａ，６５ｂで反射されて左右反転されて進行し、さらにミラー６５ｅでも反射されることによって上下も反転される。この後、ミラー６５ｅで反射された光束は、さらに結像レンズ６９で上下左右反転されて撮像素子７に到達する。
【０１４５】
より詳細には、図４と図５とを比較すると判るように、図５においてはミラー６５ｅの
角度（カメラ本体部２に対する設置角度）が変更されている。具体的には、ミラー６５ｅは、図４の状態から、その下端側の軸ＡＸ１を中心に矢印ＡＲ１の向きに所定角度α分、回動している。
【０１４６】
なお、ミラー６５ｅは、ライブビューを行うようにするために、操作者により切換ダイヤル８７が操作された場合に、自動的に回動し、光束を表示用撮像素子７に導くようにすることができる。
【０１４７】
そして、このミラー６５ｅの角度変更によって、上述のように、ミラー６５ｅで反射される光（観察用光束）の反射角度が変更され、当該ミラー６５ｅによる反射光の進行経路が変更される。
【０１４８】
具体的には、図４に示した状態に比べて、ミラー６５ｅへの入射角度θ１が比較的小さくなり、反射角度θ２も比較的小さくなる。その結果、ミラー６５ｅの反射光は、接眼レンズ６７に向かう光路からダハミラー６５ａ、６５ｂ寄りの光路へとその進路を上方に変更し、結像レンズ６９を通過して表示用撮像素子７に到達するようにされる。
【０１４９】
なお、結像レンズ６９および表示用撮像素子７は、接眼レンズ６７よりも上方に配置されており、且つ、光学ビューファインダーを用いる際にミラー６５ｅから接眼レンズ６７へと進行する光束を遮らない位置に配置されている。
【０１５０】
また、ミラー６５ｅで反射された光束の進路は、ミラー６５ｅの変更角度αに応じて、その２倍の大きさの角度β（＝２×α）に変更される。逆に言えば、反射光路の進行角度を角度β変更するために、ミラー６５ｅの回転角度は、当該角度βの半分の角度αで済む。
【０１５１】
すなわち、ミラー６５ｅの比較的小さな回転角度でミラー６５ｅの反射光の進路を比較的大きく変更することが可能である。
【０１５２】
また、ミラー６５ｅと撮像素子７とは比較的離れて配置されているため、ミラー６５ｅの回転角度を小さく変更するだけで、ミラー６５ｅによる２つの反射光を、互いに離れて配置された接眼レンズ６７および表示用撮像素子７へと確実に導くことが可能である。
【０１５３】
すなわち、ミラー６５ｅの回転角度を小さく変更することによってミラー６５ｅによる反射光の光束を良好に２つの光路に選択的に進行させることが可能である。したがって、ミラー６５ｅの回転によるスペースの増大は最小限に止められる。
【０１５４】
表示用撮像素子７は、ミラー６５ｅで反射され結像レンズ６９を通過して表示用撮像素子７に到達した被写体像に基づいて、ライブビュー画像を生成する。具体的には、微小時間間隔（例えば、１／６０秒）で複数の画像を順次に生成する。そして、取得された時系列の画像（動画像）は本体背面の表示装置１２において順次に表示される。
【０１５５】
これによって、撮影者は、カメラ本体２の背面の表示装置１２の表示画面に表示される動画像（ライブビュー画像）を視認し、当該動画像を用いて構図決め（構図合わせ）を行うことが可能になる。
【０１５６】
また、この場合も、図４を用いて説明した光学ファインダーによる構図決めの際と同様に、主ミラー６１とサブミラー６２とを介してＡＦモジュール２０に入射した光を用いてＡＦ動作（位相差ＡＦ動作）が実現される。
【０１５７】
以上のように、ミラー６５ｅで反射した後の観察用光束の進路は、ミラー６５ｅの反射角度の変更によって切り換えられる。すなわち、ミラー６５ｅから接眼レンズ６７およびファインダー窓１０に向かう光路ＰＡ（図４）と、ミラー６５ｅから結像レンズ６９および表示用撮像素子７に向かう光路ＰＢ（図５）との間で切り換えられる。
【０１５８】
換言すれば、当該観察用光束の進路は、ミラー６５ｅの反射角度の変更によって、ミラー６５ｅで反射されてファインダー窓１０に向かう第１の光路ＰＡと、ミラー６５ｅで反射されて表示用撮像素子７に向かう第２の光路ＰＢとの間で切り換えられる。
【０１５９】
［撮影用撮像素子５を用いたライブビューによる構図決め動作（フレーミング動作）］
次に、撮影用撮像素子５を用いたライブビューによる構図決め動作について説明する。
【０１６０】
上述したように、操作者により切換ダイヤル８７が操作され、撮影用撮像素子５を用いたライブビューを行うようにされると、図６に示したように、ミラー機構６の主ミラー６１およびサブミラー６２が、ミラーアップ状態となる。
【０１６１】
そして、撮影レンズユニット３からの光束は、撮影用撮像素子５に導かれ、撮影用撮像素子５の撮像面上で再結像する。
【０１６２】
撮影用撮像素子５は、これに到達した被写体像に基づいて、ライブビュー画像を生成する。具体的には、微小時間間隔（例えば、１／６０秒）で複数の画像を順次に生成する。そして、取得された時系列の画像（動画像）は、画像メモリ５６からＶＲＡＭ１３１に供給され、本体背面の表示装置１２において順次に表示される。
【０１６３】
これによって、撮影者は、カメラ本体２の背面の表示装置１２の表示画面に表示される動画像（ライブビュー画像）を視認し、当該動画像を用いて構図決め（構図合わせ）を行うことが可能になる。
【０１６４】
この場合、撮影用撮像素子５を用いてライブビュー画像を形成しているので、視野率１００％のライブビュー画像を表示装置１２の表示画面に表示することができる。
【０１６５】
なお、この場合、図６にも示したように、主ミラー６１およびサブミラー６２は、ミラーアップ状態とされるので、光束がＡＦモジュール２０に導かれないので、位相差ＡＦを行うことはできない。このため、コントラストＡＦを用いることになる。
【０１６６】
コントラストＡＦは、上述もしたように、撮影用撮像素子５で取り込まれた画像のコントラストを全体制御部１０１が検出するようにする。そして、全体制御部１０１が、検出するコントラストが最大になるように、フォーカス制御部１２１を制御し、レンズ群３７のフォーカスレンズの位置を調整して、焦点を合わせるようにするものである。
【０１６７】
［撮影モードに応じたライブビューモードの自動変更］
図１、図２を用いて説明したように、この実施の形態の撮像装置１は、モード設定ダイヤル８２を備え、幾つかの撮影モードの中からユーザーが撮影対象や撮影状況に応じて、適宜、選択して設定することができるようにしている。
【０１６８】
撮影モードは、上述もしたように、プログラムオートモード、シャッタースピード優先モード、スポーツモード、絞り優先モード、風景モード、マクロモード、ポートレートモード等がある。
【０１６９】
プログラムオートモードは、シャッタースピードと絞りとの組み合わせは、撮像装置１側で自動的に設定するが、露出等はユーザーが設定したものを用いて撮影を行うものである。
【０１７０】
シャッタースピード優先モードは、シャッタースピードを設定すると、これにあった絞りを撮像装置１側で自動的に設定して撮影を行うものである。スポーツモードは、動きの速い（動きのある）被写体を適切に撮影するために、プログラムオートモードなどに比べてシャッタースピードを速めにして撮影を行なうものである。
【０１７１】
絞り優先モードは、絞りを設定すると、これにあったシャッタースピードを撮像装置１側で自動的に設定して撮影を行うものである。風景モードは、近くから遠くまで、マンベンなくピントが合うように種々の調整を自動的に行って、撮影を行うものである。
【０１７２】
マクロモードは、例えば、被写体までの距離が数十ｃｍ以下の近接撮影を行うためのものである。ポートレートモードは、人物が引き立つように、背景を少しぼかして撮影を行うためのものである。
【０１７３】
そして、この実施の形態の撮像装置１は、上述もしたように、表示用撮像素子７を用いたライブビューと、撮影用撮像素子５を用いたライブビューとを用いることが可能であるが、両者には一長一短がある。
【０１７４】
すなわち、上述もしたように、表示用撮像素子７を用いたライブビューの特徴として、位相差ＡＦを使用できるため高速なＡＦが可能であると言う長所がある。しかし、表示用撮像素子７を用いたライブビューの場合、ライブビュー画像の視野率が光学ファインダーの視野率に依存する。このため、光学ファインダーの視野率が１００％未満の場合はライブビュー画像の視野率も１００％未満となり、正確な構図合わせができない場合があると言う短所があると言える。
【０１７５】
また、撮影用撮像素子５を用いたライブビューの特徴として、視野率が１００％のライブビュー画像を表示することができ、正確な構図合わせが可能であるという長所がある。しかし、撮影用撮像素子５を用いたライブビューの場合、ミラーアップ状態となり、光束をＡＦモジュール２０に導くことができず位相差ＡＦができない。したがって、撮影用撮像素子５を用いたライブビューの場合、コントラストＡＦを使用する必要があり、高速な焦点合わせができないと言う短所があると言える。
【０１７６】
そして、この実施の形態の撮像装置１では、上述した複数の撮影モードが利用可能であるが、それぞれの撮影モードごとに優先される機能は異なっている。
【０１７７】
例えば、シャッタースピード優先モードやスポーツモードでは動きのある被写体を撮影するために高速なＡＦ（Automatic Focus）が必要である。
【０１７８】
また、絞り優先モード、ポートレートモード、風景モードの場合は構図の確認が重要であるので、視野率１００％のライブビュー画像が表示できることが重要である。
【０１７９】
また、マクロモードでは構図の確認に加えて厳密な焦点合わせが重要である。このため、極僅かではあっても焦点誤差が発生する可能性のある位相差ＡＦよりはコントラストＡＦを用いるようにしたほうが好ましい場合がある。
【０１８０】
そこで、この実施の形態の撮像装置１においては、高速なＡＦが要求される撮影モードに設定した場合は、表示用撮像素子７を用いたライブビューに自動的に切り換えるようにしている。また、構図の確認もしくは厳密な焦点合わせが要求される撮影モードに設定した場合は、撮影用撮像素子５を用いたライブビューに自動的に切り換えるようにしている。
【０１８１】
このように、この実施の形態の撮像装置１においては、目的とする撮影モードに設定すると、設定した撮影モードに応じた適切なライブビューモードが自動的に選択され、これを用いることができるようにしている。
【０１８２】
したがって、この実施の形態の撮像装置１においては、撮影モードはモード設定ダイヤル８２で設定し、ライブビューモードは切り替えダイヤル８７で切り換えるといった、２種類の設定操作を行う必要はない。すなわち、各種撮影モードごとに優先される機能を満足したライブビューモードへ自動で切り換えることができ、ユーザーの利便性を向上させることが可能となる。
【０１８３】
図７は、この実施の形態の撮像装置１において利用可能な撮影モードと、撮影モードに応じて選択されるべきライブビューモードとの対応関係を説明するための図である。
【０１８４】
図７に示すように、また、上述もしたように、この実施の形態の撮像装置１は、プログラムオートモード、シャッタースピード優先モード、スポーツモード、絞り優先モード、風景モード、マクロモード、ポートレートモードを備えている。
【０１８５】
そして、プログラムオートモード、シャッタースピード優先モード、スポーツモードは、上述もしたように、動きのある被写体を撮影する場合が多く、高速なＡＦを実現する必要がある。
【０１８６】
このため、プログラムオートモード、シャッタースピード優先モード、スポーツモードが選択された場合には、表示用撮像素子７を用いたライブビュー（表示用撮像素子側ライブビュー）を行うようにする。
【０１８７】
また、絞り優先モード、風景モード、マクロモード、ポートレートモードの場合には、上述もしたように、構図合わせを厳密に行ったり、焦点合わせを厳密に行ったりする必要がある。
【０１８８】
このため、絞り優先モード、風景モード、マクロモード、ポートレートモードが選択された場合には、撮影用撮像素子５を用いたライブビュー（撮影用撮像素子側ライブビュー）を行うようにする。
【０１８９】
［撮影モードに応じたライブビューモードの自動変更時の動作］
次に、撮影モードに応じたライブビューモードの自動変更時の動作について、図８〜図１４のフローチャートを参照しながら説明する。
【０１９０】
図８は、ライブビュー処理のメインルーチンのフローチャートである。また、図９は、図８のメインルーチンにおいて実行される初期化ルーチンのフローチャートである。図１０は、図８、図９のルーチンにおいて実行されるライブビュー切換ルーチンのフローチャートである。
【０１９１】
また、図１１は、図１０のルーチンにおいて実行される撮影用撮像素子側ライブビュー動作ルーチンのフローチャートである。図１２は、図１０のルーチンにおいて実行される表示用撮像素子側ライブビュー動作ルーチンのフローチャートである。
【０１９２】
また、図１３は、図８のメインルーチン等において実行される撮影準備動作ルーチンのフローチャートである。図１４は、図８のメインルーチン等において実行される撮影用撮像素子側撮影動作ルーチンのフローチャートである。
【０１９３】
そして、この実施の形態の撮像装置１に電源が投入され、撮影可能な状態にされると共に、光学ビューファインダーではなく、ライブビューを用いるようにされている場合に、全体制御部１０１は、図８に示す処理を実行する。
【０１９４】
全体制御部１０１は、まず、初期化ルーチンを実行する（ステップＳ１）。この初期化ルーチンは、図９に示す処理である。初期化ルーチンにおいては、図９に示すように、主にライブビュー切換ルーチンを実行する（ステップＳ１０１）。しかし、この初期化処理時においては、必要がある場合には、例えば、種々の設定状態を確認したり、変数を初期化したりするなどの処理をも行う。
【０１９５】
図９に示した初期化ルーチンのステップＳ１０１で実行されるライブビュー切換ルーチンは、図１０に示す処理である。そして、ライブビュー切換ルーチンにおいては、全体制御部１０１は、まず、モード設定ダイヤル８２の設定状態を確認し、撮影モードがプログラムオートモードか否かを判断する（ステップＳ２０１）。
【０１９６】
ステップＳ２０１の判断処理において、撮影モードがプログラムオートモードではないと判断したときには、全体制御部１０１は、撮影モードがシャッタースピード優先モードか否かを判断する（ステップＳ２０２）。
【０１９７】
ステップＳ２０２の判断処理において、撮影モードがシャッタースピード優先モードではないと判断したときには、全体制御部１０１は、撮影モードがスポーツモードか否かを判断する（ステップＳ２０３）。
【０１９８】
ステップＳ２０３の判断処理において、撮影モードがスポーツモードではないと判断したときには、全体制御部１０１は、撮影用撮像素子側ライブビュー動作ルーチンを実行する（ステップＳ２０４）。
【０１９９】
つまり、選択されている撮影モードが、プログラムオートモード、シャッタースピード優先モード、スポーツモードのいずれでもない場合には、高速なＡＦを行う必要のない撮影モードが選択されていると判断することができる。この場合には、ステップＳ２０４において、撮影用撮像素子側ライブビュー動作ルーチンを実行する。
【０２００】
これに対して、ステップＳ２０１の判断処理において、撮影モードがプログラムオートモードであると判断したときには、全体制御部１０１は、表示用撮像素子側ライブビュー動作ルーチンを実行する（ステップＳ２０５）。
【０２０１】
同様に、ステップＳ２０２の判断処理において、撮影モードがシャッタースピード優先モードであると判断したときには、全体制御部１０１は、表示用撮像素子側ライブビュー動作ルーチンを実行する（ステップＳ２０５）。
【０２０２】
同様に、ステップＳ２０３の判断処理において、撮影モードがスポーツモードであると判断したときには、全体制御部１０１は、表示用撮像素子側ライブビュー動作ルーチンを実行する（ステップＳ２０５）。
【０２０３】
つまり、選択されている撮影モードが、プログラムオートモード、シャッタースピード優先モード、スポーツモードのいずれかである場合には、高速なＡＦを行う必要がある撮影モードが選択されていると判断することができる。この場合には、ステップＳ２０５において、表示用撮像素子側ライブビュー動作ルーチンを実行する。
【０２０４】
そして、図１０に示したライブビュー切換ルーチンのステップＳ２０４において実行される撮影用撮像素子側ライブビュー動作ルーチンは、図１１に示す処理である。
【０２０５】
図１１に示すように、撮影用撮像素子側ライブビュー動作ルーチンにおいて、全体制御部１０１は、まず、ミラー機構６を制御してミラーアップ状態とし、撮影用撮像素子５への露光を行うようにする（ステップＳ３０１）。
【０２０６】
そして、全体制御部１０１は、撮影用撮像素子５からの画像データを信号処理回路５１、Ａ／Ｄ変換回路５２を通じて取り込み、デジタル信号処理回路５０を通じて種々の補正処理を行うなどの一連の画像処理を行うようにする（ステップＳ３０２）。
【０２０７】
そして、画像処理後の画像データを、画像メモリ５６を介して、ＶＲＡＭ１３１に転送するようにし、表示装置１２の表示画面に撮影用撮像素子５を通じて取得するライブビュー画像を表示するようにする（ステップＳ３０３）。
【０２０８】
このように、全体制御部１０１は、ステップＳ３０１〜ステップＳ３０３の処理により、撮影用撮像素子５を通じて順次に取り込まれる画像を、表示装置１２に表示するライブビューを行うようにする。
【０２０９】
この後、全体制御部１０１は、露出条件を更新し（ステップＳ３０４）、この図１１に示す撮影用撮像素子側ライブビュー動作ルーチンを終了する。
【０２１０】
このように、図１１に示す撮影用撮像素子側ライブビュー動作ルーチンは、撮影用撮像素子５を通じてライブビューを開始させるものである。
【０２１１】
また、図１０に示したライブビュー切換ルーチンのステップＳ２０５において実行される表示用撮像素子側ライブビュー動作ルーチンは、図１２に示す処理である。
【０２１２】
図１２に示すように、表示用撮像素子側ライブビュー動作ルーチンにおいて、全体制御部１０１は、まず、ミラー機構６を制御してミラーダウン状態とし、表示用撮像素子７への露光を行うようにする（ステップＳ４０１）。
【０２１３】
そして、全体制御部１０１は、表示用撮像素子７からの画像データを信号処理回路５１、Ａ／Ｄ変換回路５２を通じて取り込み、デジタル信号処理回路５０を通じて種々の補正処理を行うなどの一連の画像処理を行うようにする（ステップＳ４０２）。
【０２１４】
そして、画像処理後の画像データは、画像メモリ５６を解して、ＶＲＡＭ１３１に転送するようにし、表示装置１２の表示画面に表示用撮像素子７を通じて取得するライブビュー画像を表示するようにする（ステップＳ４０３）。
【０２１５】
このように、図１２に示す表示用撮像素子側ライブビュー動作ルーチンは、表示用撮像素子７を通じてライブビューを開始させるものである。
【０２１６】
したがって、図８に示したメインルーチンのステップＳ１においては、初期化ルーチン（図９）を実行することにより、ライブビュー切換ルーチン（図１０）が実行される。そして、ライブビュー切換ルーチンにおいて、撮影用撮像素子側ライブビュー動作ルーチン（図１１）、表示用撮像素子側ライブビュー動作ルーチン（図１２）のいずれかが実行され、選択されている撮影モードに応じて、適切なライブビューモードが選択される。
【０２１７】
この後、図８のメインルーチンにおいては、全体制御部１０１が、モード設定ダイヤル８２の設定状態を監視し、撮影モードが変更されたか否かを判断する（ステップＳ２）。
【０２１８】
ステップＳ２の判断処理において、撮影モードが変更されたと判断したときには、図１０を用いて説明したライブビュー切換ルーチンを実行し（ステップＳ３）、変更後の撮影モードに応じたライブビューモードに変更するようにする。
【０２１９】
ステップＳ２の判断処理において、撮影モードは変更されていないと判断した場合と、ステップＳ３においてライブビュー切換ルーチンを実行した後においては、全体制御部１０１は、レリーズボタン１１が半押し状態（Ｐ１状態）か否かを判断する（ステップＳ４）。
【０２２０】
ステップＳ４の判断処理において、レリーズボタン１１は半押し状態ではないと判断したときには、全体制御部１０１は、ステップＳ２からの処理を繰り返し、レリーズボタン１１が半押し状態になるのを待つ。
【０２２１】
ステップＳ４の判断処理において、レリーズボタン１１が半押し状態になったと判断したときには、全体制御部１０１は、撮影動作準備ルーチンを実行する（ステップＳ５）。このステップＳ５において実行される撮影動作準備ルーチンは、図１３に示す処理である。
【０２２２】
図１３に示す撮影準備動作ルーチンにおいて、全体制御部１０１は、現在選択されているのは、撮影用撮像素子側ライブビューか否かを判断する（ステップＳ５０１）。撮影用撮像素子側ライブビューが選択されているか、表示用撮像素子側ライブビューが選択されているかは、全体制御部１０１が把握している。
【０２２３】
ステップＳ５０１の判断処理において、撮影用撮像素子側ライブビューが選択されていると判断したときには、全体制御部１０１は、コントラストＡＦを行うように関係する各部を制御する（ステップＳ５０２）。
【０２２４】
この後、全体制御部１０１は、撮影用撮像素子５を通じて被写体の明るさを測定し、露出（絞り値とシャッタースピードの組み合わせ）を決める処理を行い（ステップＳ５０３）、この図１３に示す処理を終了する。
【０２２５】
また、ステップＳ５０１の判断処理において、撮影用撮像素子側ライブビューが選択されていないと判断したときには、全体制御部１０１は、位相差ＡＦを行うようにＡＦモジュール２０等の関係する各部を制御する（ステップＳ５０４）。すなわち、撮影用撮像素子側ライブビューが選択されていない状態は、表示用撮像素子側ライブビューが選択された状態であることを意味する。
【０２２６】
この後、全体制御部１０１は、図３等には図示しないが、この実施の形態の撮像装置１が有する測光センサーを通じて被写体の明るさを測定し、露出（絞り値とシャッタースピードの組み合わせ）を決める処理を行い（ステップＳ５０５）、この図１３に示す処理を終了する。
【０２２７】
そして、図８に示したメインルーチンに戻り、全体制御部１０１は、レリーズボタン１１が全押し状態（Ｐ２状態）になったか否かを判断する（ステップＳ６）。
【０２２８】
ステップＳ６の判断処理において、レリーズボタン１１が全押し状態になったと判断したときには、全体制御部１０１は、撮影用撮像素子側撮影動作ルーチンを実行する（ステップＳ７）。このステップＳ７で実行される撮影用撮像素子側撮影動作ルーチンは、図１４に示す処理である。
【０２２９】
図１４に示すように、撮影用撮像素子側撮影動作ルーチンにおいては、全体制御部１０１は、まず、撮影用撮像素子５の電源をＯｎ（オン）にし（ステップＳ６０１）、シャッター４を解放する（ステップＳ６０２）。
【０２３０】
これにより、レンズ群３７を通じて集光された光束は、撮影用撮像素子５に到達するので、全体制御部１０１は、露出値に応じた撮影用撮像素子５への露光を行うようにし、信号処理部５１、Ａ／Ｄ変換回路５２等を通じて撮影画像を取り込む（ステップＳ６０３）。
【０２３１】
そして、全体制御部１０１は、シャッター４を閉鎖し（ステップＳ６０４）、撮影用撮像素子５の電源をＯｆｆ（オフ）にする（ステップＳ６０５）。この後、全体制御部１０１は、デジタル信号処理部５０を制御し、撮影用撮像素子５を通じて取り込まれた撮影画像の画像に対して、各種の補正処理などのデジタル信号処理を行う（ステップＳ６０６）。
【０２３２】
そして、全体制御部１０１は、撮影用撮像素子５を通じて取り込み、デジタル信号処理した撮影画像の画像を画像メモリ５６の撮影画像用の画像記憶領域Ｘに記録する（ステップＳ６０７）。そして、図８に示したメインルーチンに戻る。
【０２３３】
なお、ステップＳ６０６において実行される画像処理は、図１１に示した撮影用撮像素子側ライブビュー動作ＲＴＮのステップＳ３０２で実行した画像処理と同様の処理である。すなわち、撮影用撮像素子５からの画像データに対して黒レベル補正、ＷＢ補正、ガンマ補正等の各種画像処理を実行する。
【０２３４】
そして、全体制御部１０１は、図１４のステップＳ６０７において画像メモリ５６の撮影画像用の画像記憶領域Ｘに一時記憶した撮影画像を、カードＩ／Ｆ１３２を通じてメモリカード９０に記録する（ステップＳ８）。
【０２３５】
この後、全体制御部１０１は、図１０を用いて説明したライブビュー切換ルーチンを実行し（ステップＳ９）、選択された撮影モードに応じたライブビューを行うようにして、ステップＳ２からの処理を繰り返すようにする。
【０２３６】
また、ステップＳ６の判断処理において、レリーズボタン１１が全押し状態になっていないと判断したときには、全体制御部１０１は、レリーズボタン１１が半押し状態か否かを判断する（ステップＳ１０）。
【０２３７】
ステップＳ１０の判断処理において、レリーズボタン１１が半押し状態であると判断したときには、ステップＳ６からの処理を繰り返す。すなわち、レリーズボタン１１が全押しされて撮影を行うか、レリーズボタン１１の押下操作が解除されるのかを待つことになる。
【０２３８】
ステップＳ１０の判断処理において、レリーズボタン１１が半押し状態ではない、すなわち、全押しされずに半押しが解除されたと判断したときには、ステップＳ９の処理に進む。
【０２３９】
この場合には、上述もしたように、図１０を用いて説明したライブビュー切換ルーチンを実行し（ステップＳ９）、選択された撮影モードに応じたライブビューを行うようにして、ステップＳ２からの処理を繰り返すことになる。
【０２４０】
このように、この実施の形態の撮像装置１においては、ライブビューを用いて構図決め（構図合わせ）を行うようにしている場合においては、選択した撮影モードに応じて、適切なライブビューモードを自動的に選択することができるようにされる。
【０２４１】
すなわち、撮影用撮像素子５を用いたライブビューを行うモードと、表示用撮像素子７を用いたライブビューを行うモードとを適切に、かつ、自動的に選択して切り換えることができる。
【０２４２】
［種々の撮影モードへの対応］
なお、図７を用いて説明したように、この実施の形態の撮像装置１は７つの撮影モードを有するものとして説明した。しかし、撮影モードは当該１つに限るものではない。
【０２４３】
様々な撮影環境や被写体に応じて、適切かつ簡単に撮影を行うようにするために、絞り値、シャッタースピード、画像処理時の種々の調整値などを適切に調整するようにした種々の撮影モードが考えられる。
【０２４４】
そして、図７に示した以外の種々の撮影モードの利用が可能な場合であっても、各撮影モードにおいて優先すべき機能を適切に判別することにより、表示用撮像素子と撮影用撮像素子とのいずれを用いたライブビューを行うのかを適切に切り換えることができる。
【０２４５】
図１５は、撮影モードの他の例と、ライブビューモードとの対応関係の例を説明するための図である。図１５に示すように、撮影環境や被写体、あるいは、撮影目的などに応じて、種々の撮影モードが考えられている。
【０２４６】
例えば、動体である被写体を撮影する場合に用いて好適な動体モード、ステージライトで照らされている被写体を撮影する場合に用いて好適なステージライトモード、周囲の明るさに関係なくフラッシュライトを用いないで撮影する発光禁止オートモードがある。
【０２４７】
また、海辺やゲレンデなどの極端にあかるい場所で被写体を撮影する場合に用いて好適なビーチ＆スノーモード、子供のスナップ写真を撮るのに好適な子供スナップモードがある。
【０２４８】
図１５において、動体モード〜子供スナップモード間での５つの撮影モードは、被写体が動いているなどするために、迅速なＡＦを行う必要がある撮影モードである。このため、これらの撮影モードが選択された場合には、表示用撮像素子を用いたライブビュー（表示用撮像素子側ライブビュー）を行うようにする。上述もしたように、表示用撮像素子を用いたライブビューの場合には、光束を位相差方式のＡＦモジュールに導くことが可能であるためである。
【０２４９】
また、図１５に示すように、夜景と人物を撮影する場合（夜間に屋外で人物を撮影する場合）に用いて好適な夜景＆人物（夜景ポートレート）モード、風景と人物を撮影する場合に用いて好適な風景＆人物モードがある。
【０２５０】
また、夜景を撮影する場合に用いて好適な夜景モード、夕日（夕景）を撮影する場合に用いて好適な夕日（夕景）モード、花火を撮影する場合に用いて好適な花火モードがある。また、例えば、黒板などに書かれた文字など、主に文書を撮影する場合に用いて好適な文書モード、料理などを近接して撮影する場合に用いて好適な料理モードがある。
【０２５１】
また、いわゆるパノラマ写真を撮影する場合に用いて好適なパノラマモード、例えば、花や昆虫などを近接して撮影する場合に用いて好適なネイチャーマクロモード、海、湖、プールといった水中で広角に撮影をしたい場合に用いて好適な水中ワイドモードがある。
【０２５２】
また、ローソクの火などの比較的に弱い光源の下で撮影を行う場合に用いて好適なキャンドルモード、海、湖、プールといった水中で近接して撮影をしたい場合に用いて好適な水中マクロモードがある。また、美術館などの屋内において、蛍光灯などの光源の下で被写体を鮮明に撮影した場合に用いて好適な美術間モードがある。
【０２５３】
このように、図１５において、夜景＆人物（夜景ポートレート）モード〜美術館モードまでの１３個の撮影モードの場合には、構図決めを慎重に行ったり、ピント合わせを厳密に行ったりする必要のあるモードである。
【０２５４】
このため、図１５において、夜景＆人物（夜景ポートレート）モード〜美術館モードまでの１３個の撮影モードの場合には、撮影用撮像素子を用いたライブビュー（撮影用撮像素子側ライブビュー）を行うようにする。
【０２５５】
このように、種々の撮影モードにおいて、高速なＡＦ、視野率１００％のライブビュー画像、厳密な焦点合わせの内の何を特に優先すべきかに基づいて、用いるライブビューモードを適切に選択することができる。
【０２５６】
そして、図１５に示したように、種々存在する撮影モードを用いる場合であっても、図１０を用いて説明したライブビュー切換ルーチンのように、選択された撮影モードに応じて、用いるライブビューモードを選択できるようにすることができる。
【０２５７】
なお、図７、図１５に示した撮影モードが存在する場合であっても、上述したように、高速なＡＦ、視野率１００％のライブビュー画像、厳密な焦点合わせの内の何を特に優先すべきかに基づいて、用いるライブビューモードを適切に選択することができる。
【０２５８】
なお、図１０のフローチャートにおいては、フローチャート（プログラム）の中で選択されている撮影モードが何かを判断するようにしたが、これに限るものではない。例えば、図７や図１５に示した撮影モードとライブビューモードとを対応付けたテーブルをＥＥＰＲＯＭ６０などに作成しておく。そして、選択された撮影モードに基づいて、当該テーブルを参照し、撮影用撮像素子５を用いたライブビューを行うか、表示用撮像素子７を用いたライブビューを行うかを切り換えるようにしてももちろんよい。
【０２５９】
［この発明の方法、プログラム］
なお、上述した実施形態から明らかなように、この発明の方法、プログラムは、図７〜図１４を用いて説明した方法、プログラムとして実現可能である。
【０２６０】
そして、上述の図８〜図１４のフローチャートを用いて説明した方法は、この発明の方法である。
【０２６１】
また、上述の図７〜図１４のフローチャートに応じて形成可能なプログラムは、この発明のプログラムである。
【０２６２】
なお、上述もしたように、例えば、図７や図１５に示した撮影モードとライブビューモードとを対応付けたテーブルをＥＥＰＲＯＭ６０などに作成しておく。そして、選択された撮影モードに基づいて、当該テーブルを参照し、撮影用撮像素子５を用いたライブビューを行うか、表示用撮像素子７を用いたライブビューを行うかをきりかえるようにしたプログラムを作成することももちろん可能である。
【０２６３】
［実施の形態の効果］
上述したように、撮像装置１は、撮影用撮像素子５に加えて光学ファインダー内に表示用撮像素子７を備え、光学ファインダーの視野率が１００％未満であるレンズ交換式デジタル一眼レフカメラ（ＤＳＬＲ）である。撮像装置１は、撮影用撮像素子５を用いたライブビューモードと表示用撮像素子７を用いたライブビューモードとを両方備えている。そして、各種撮影モード（シャッタースピード優先モード、絞り優先モード、風景モード、スポーツモード、マクロモード等)を撮影者がモード設定ダイヤル８２等で変更可能な場合、撮影モード毎に使用するライブビューモードを自動で切り換えることができる。
【０２６４】
すなわち、各種撮影モードのうち、シャッタースピード優先、スポーツモード等シャッターチャンスを逃さないことが撮影の重要な要素となる撮影モードでは、高速な焦点合わせが必要である。
【０２６５】
そこで、撮像装置１において、シャッターチャンスを逃さないことが撮影の重要な要素となる撮影モードが設定された場合、表示用撮像素子７を用いたライブビューモードに自動で切り換える。表示用撮像素子７を用いたライブビューモードでは、上述もしたように、高速な焦点合わせが可能な位相差ＡＦ方式の自動焦点合わせを行うことができるためである。
【０２６６】
また、各種撮影モードのうち、絞り優先モード、風景モード等の構図の確認が撮影の重要な要素となる撮影モードでは、視野率が１００％のライブビュー画像を表示できることが重要である。
【０２６７】
そこで、撮像装置１において、構図の確認が撮影の重要な要素となる撮影モードが設定された場合は、撮影用撮像素子５を用いたライブビューモードに自動で切り換える。撮影用撮像素子５を用いたライブビューモードでは、上述もしたように、視野率が１００％のライブビュー画像を表示できるためである。
【０２６８】
また、各種撮影モードのうち、マクロモード等被写体に正確に合焦することが重要な要素となる撮影モードでは、厳密な焦点合わせが要求される。
【０２６９】
そこで、撮像装置１において、被写体に正確に合焦することが重要な要素となる撮影モードに設定された場合は、撮影用撮像素子５を用いたライブビューモードに自動で切り換える。撮影用撮像素子５を用いたライブビューモードでは、上述もしたように、撮影用撮像素子５で厳密に焦点合わせを行うことが可能であるためである。
【０２７０】
すなわち、撮影モードごとに優先される機能、すなわち、高速な焦点合わせ、視野率１００％の画像による構図確認、厳密な焦点合わせ等の内、どの機能を優先させなければならないかに応じて、最適なライブビューモードに自動で切り換えることができる。これにより、撮像装置を操作する撮影者の利便性を向上させることができる。
【０２７１】
［その他］
なお、上述した実施の形態においては、撮影用撮像素子の機能は、撮影用撮像素子５が実現し、表示用撮像素子の機能は、表示用撮像素子７が実現している。また、表示手段の機能は、表示装置１２が実現している。
【０２７２】
また、ミラー機構の機能は、ミラー機構６が実現している。また、第１の自動焦点合わせ手段の機能は、ＡＦモジュール２０、全体制御部１０１、フォーカス制御部１２１、モータＭ１が実現している。
【０２７３】
また、第２の自動焦点合わせ手段の機能は、撮影用撮像素子５、全体制御部１０１、フォーカス制御部１２１、モータＭ１が実現している。また、受付手段の機能は、モード設定ダイヤル８２が実現している。また、制御手段の機能は、主に全体制御部１０１が実現している。
【０２７４】
また、表示用撮像素子を設ける位置は、上述した実施形態の撮像装置のおいて示した場合に限るものではなく、光学ファインダー内の適宜の位置に表示用撮像素子を設ける構成が可能である。
【０２７５】
また、撮像素子は、ＣＣＤに限るものではなく、例えば、ＣＭＯＳ（Complementary Metal Oxide Semiconductor）イメージセンサなどを用いるようにしてもよい。
【０２７６】
また、表示装置もＬＣＤに限るものではなく、有機ＥＬパネル（Organic Electroluminescence Panel）等の表示素子を用いるようにしてもよい。
【符号の説明】
【０２７７】
１、１Ａ…撮像装置、２…カメラ本体部、３…撮影レンズユニット、４…シャッター、５…撮影用撮像素子、６…ミラー機構、７…表示用撮像素子、１２…表示装置、２０…ＡＦモジュール、４１…フラッシュライト、３７…レンズ群、３９…レンズ位置検出部、４２…フラッシュ回路、４３…ＡＦ補助光発光部、５０…デジタル信号処理回路、５１…信号処理部、５２…Ａ／Ｄ変換回路、５３…黒レベル補正回路、５４…ＷＢ補正回路、５５…γ補正回路、５６…画像メモリ、６０…ＥＥＰＲＯＭ、８０…操作部、９０…メモリカード、１０１…全体制御部、１２１…フォーカス制御回路、１２２…ミラー制御回路、１２３…シャッター制御回路、１２４…タイミング制御回路、１３１…ＶＲＡＭ、１３２…カードＩ／Ｆ、１３３…通信用Ｉ／Ｆ
【図１】
2010217262.tif 000003
【図２】
2010217262.tif 000004
【図３】
2010217262.tif 000005
【図４】
2010217262.tif 000006
【図５】
2010217262.tif 000007
【図６】
2010217262.tif 000008
【図７】
2010217262.tif 000009
【図８】
2010217262.tif 000010
【図９】
2010217262.tif 000011
【図１０】
2010217262.tif 000012
【図１１】
2010217262.tif 000013
【図１２】
2010217262.tif 000014
【図１３】
2010217262.tif 000015
【図１４】
2010217262.tif 000016
【図１５】
2010217262.tif 000017
【図１６】
2010217262.tif 000018
【図１７】
2010217262.tif 000019
【図１８】
2010217262.tif 000020